【手続補正書】
【提出日】平成16年6月10日(2004.6.10)
【手続補正１】
【補正対象書類名】明細書
【補正対象項目名】特許請求の範囲
【補正方法】変更
【補正の内容】
【特許請求の範囲】
【請求項１】
高精細グリッド線パターンを、マトリックス状に配されるピクセルに対応して定義された記憶領域に傾けて記憶させる印刷用データ作成処理と、その印刷用データ作成処理で記憶領域に記憶させた高精細グリッド線パターンに基づいて、印刷版描画装置を制御する描画装置制御処理と、を有することを特徴とする高精細グリッド線パターン作成プログラム。
【請求項２】
前記印刷用データ作成処理は、前記印刷版描画装置で描画される印刷版が円筒状であるときには、当該印刷版の円周長に対応するピクセル数の約数を算出し、その算出された約数のうちから、所定の角度θでＰｃ１・ｓｉｎθ及びＰｃ２・ｃｏｓθが等しくなる約数Ｐｃ１、Ｐｃ２の組み合わせを算出し、その算出された約数Ｐｃ１及びＰｃ２と角度θとに基づいて高精細グリッド線パターンを作成し、その作成された高精細グリッド線パターンをマトリックス状に配されるピクセルに対応して定義された記憶領域に傾けて記憶させることを特徴とする請求項１に記載の高精細グリッド線パターン作成プログラム。
【請求項３】
前記高精細グリッド線パターンは、電磁波シールドのパターンであることを特徴とする請求項１又は２に記載の高精細グリッド線パターン作成プログラム。
【手続補正２】
【補正対象書類名】明細書
【補正対象項目名】０００１
【補正方法】変更
【補正の内容】
【０００１】
【発明の属する技術分野】
本発明は、高精細グリッド線パターン（印刷図柄）を、印刷版に描画するための装置を制御する高精細グリッド線パターン作成プログラムに関する。
【手続補正３】
【補正対象書類名】明細書
【補正対象項目名】０００２
【補正方法】変更
【補正の内容】
【０００２】
【従来の技術】
従来、例えば、特開平０８−３００６００号公報に記載されているように、赤外線感光層と紫外線感光層とを含む印刷用感光体を備え、その印刷用感光体の赤外線感光層を赤外レーザにより融除して、フレキソ印刷版の製作に適したマスクを作成する技術がある。
また、例えば、特開２０００−２００９９５号公報に記載されているように、ＰＤＰ（プラズマディスプレイ）の前面フィルタとして有用な電磁波シールドを印刷装置で製造する技術がある。例えば、この公報には、透明プラスチック支持体に接着されている導電性金属に、オフセット印刷を施して格子状パターンを有する印刷インクレジストを形成した後、エッチングを施して、電磁波シールドを形成する技術が開示されている。
【手続補正４】
【補正対象書類名】明細書
【補正対象項目名】０００３
【補正方法】変更
【補正の内容】
【０００３】
【発明が解決しようとする課題】
ところで、上記特開平０８−３００６００号公報に記載されているように、赤外レーザ（微小なスポットレーザ）を用いてマスクを作成するときには、通常、編集が容易なベクトル画像で印刷用データを作成し、その作成したベクトル画像にＲＩＰ処理を施してビットマップ画像に変換し、その変換したビットマップ画像を用いるようになっている。
【手続補正５】
【補正対象書類名】明細書
【補正対象項目名】０００４
【補正方法】変更
【補正の内容】
【０００４】
そのため、例えば、前記ＲＩＰ処理が、ベクトル画像を一辺が１０μｍのピクセルからなるビットマップ画像に変換するようになっているときに、印刷用データとして、幅２０μｍの格子線が５５μｍ間隔で描かれた格子状パターン（高精細グリッド線パターン）のベクトル画像が作成されると、通常は、互いに縦方向又は横方向に位置する複数のピクセルで描画されたビットマップ画像に変換され、その変換されたビットマップ画像には、図７に示すように、線幅が２ピクセルの格子線と３ピクセルの格子線とが交互に現れる。それゆえ、そのビットマップ画像に基づいて作成される印刷版を用いて、図８に示すように、高精細グリッド線パターンを印刷すると、その印刷された高精細グリッド線パターンにはモアレ様のムラ、つまり、外観上の不良としてのムラが生じ、その結果、例えば、その印刷版を用いた印刷装置で製造される電磁波シールドをＰＤＰの前面フィルタとして用いた場合には、視認性においてその商品価値に致命的な問題を生ずることになる。
【手続補正６】
【補正対象書類名】明細書
【補正対象項目名】０００５
【補正方法】変更
【補正の内容】
【０００５】
なお、このようなモアレ様のムラは、印刷用データであるベクトル画像を作成するときに、格子線の間隔をピクセル長の倍数に設定することで防止することもできる。しかしながら、格子線の間隔をピクセル長の倍数に設定すると、ピクセル長によって作成可能な高精細グリッド線パターンが決まってしまうことになり、多様な高精細グリッド線パターンの作成要求、例えば、電磁波シールドの要求性能やＰＤＰの画素などに応じた、適切な格子状パターンを作成するという要求に対し、大きな障害となってしまう恐れがある。
【手続補正７】
【補正対象書類名】明細書
【補正対象項目名】０００６
【補正方法】変更
【補正の内容】
【０００６】
また、高精細グリッド線パターンの印刷物を安価に量産できるように、継ぎ目のない円筒状印刷版を用いるようにしたときに、印刷版の円周長に対応するピクセル数の約数に応じて格子線の間隔を設定することで、印刷版に描画される高精細グリッド線パターンを連続したものにすることもできる。しかしながら、印刷版の円周長に対応するピクセル数の約数に応じて格子線の間隔を設定すると、その円周長などによって作成可能な高精細グリッド線パターンの種類が限られてしまい、前述したように適切且つ多様な高精細グリッド線パターンを作成するという要求に対し、より大きな障害となってしまう恐れがある。
【手続補正８】
【補正対象書類名】明細書
【補正対象項目名】０００７
【補正方法】削除
【補正の内容】
【手続補正９】
【補正対象書類名】明細書
【補正対象項目名】０００９
【補正方法】変更
【補正の内容】
【０００９】
【課題を解決するための手段】
上記課題を解決するために、請求項１に係る発明である高精細グリッド線パターン作成プログラムは、微細な格子状パターン、つまり、高精細グリッド線パターンを、マトリックス状に配されるピクセルに対応して定義された記憶領域に傾けて記憶させる印刷用データ作成処理と、その印刷用作成処理で記憶領域に記憶させた高精細グリッド線パターンに基づいて、印刷版への書きこみを行う描画装置、つまり、印刷版描画装置を制御する描画装置制御処理と、を有することを特徴とする。なお、高精細グリッド線パターンとしては、線幅が１００μ以下、望ましくは５０μ以下の太さのグリッド線が、所定の間隔で一定の方向に配置されたもの、又は交差させて組み合わされたものからなり、最終印刷物としてグリッド線パターン（格子状パターン）として配置されたものを挙げることができる。
また、請求項３に係る発明である高精細グリッド線パターン作成プログラムでは、前記高精細グリッド線パターンは、電磁波シールドのパターンであることを特徴とする。
これら請求項１又は３に記載の発明によれば、互いに斜め方向に位置する印刷版上のピクセルに高精細グリッド線パターンが描画される。そのため、印刷版に描画されたグリッド線に線幅の太いものと細いものとが交互には現れることなく、例えば、この印刷版を用いて製造された電磁波シールド材等がＰＤＰの前面に取りつけられても、線幅の太いものと細いものとが交互に現れることによるモアレ様のムラの発生を抑制でき、その結果、モアレの発生を気にすることなく、グリッド線を所望の間隔で配置することができる。
【手続補正１０】
【補正対象書類名】明細書
【補正対象項目名】００１０
【補正方法】変更
【補正の内容】
【００１０】
また、請求項２に係る発明である高精細グリッド線パターン作成プログラムでは、前記印刷用データ作成処理は、前記印刷版描画装置で製造される印刷版が円筒状であるときには、当該印刷版の円周長に対応するピクセルの約数を算出し、その算出された約数のうちから、所定の角度θでＰｃ１・ｓｉｎθ及びＰｃ２・ｃｏｓθが等しくなる約数Ｐｃ１、Ｐｃ２の組み合わせを算出し、その算出された約数Ｐｃ１及びＰｃ２と角度θとに基づいて高精細グリッド線パターンを作成し、その作成された高精細グリッドパターンをマトリックス状に配されるピクセルに対応して定義された記憶領域に傾けて記憶させることを特徴とする。なお、Ｐｃ１・ｓｉｎθ及びＰｃ２・ｃｏｓθが等しい状態としては、それらＰｃ１・ｓｉｎθ等が一致するときだけでなく、それらＰｃ１・ｓｉｎθ等を互いに交差する２辺とする四角形の正方率が十分に大きくなるときも含む。
【手続補正１１】
【補正対象書類名】明細書
【補正対象項目名】００１１
【補正方法】削除
【補正の内容】
【手続補正１２】
【補正対象書類名】明細書
【補正対象項目名】００１２
【補正方法】変更
【補正の内容】
【００１２】
この請求項２に係る発明によれば、印刷版が円筒状であるときには、印刷版の円周方向に対して左方（又は右方）に角度θ傾いたグリッド線が約数Ｐｃ１に応じた間隔で描画され、そのグリッド線から右方（又は左方）に９０°傾いたグリッド線が約数Ｐｃ２に応じた間隔で描画されるように印刷版描画装置を制御することで、印刷版に描画される高精細グリッド線パターンを連続したものにすることができる。また、約数Ｐｃ１、Ｐｃ２の組み合わせの算出時に、角度θを変えることによって、グリッド線の間隔を設定することができ、その結果、作成可能な高精細グリッド線パターンの種類を増やすこともできる。
【手続補正１３】
【補正対象書類名】明細書
【補正対象項目名】００１３
【補正方法】変更
【補正の内容】
【００１３】
なお、高精細グリッド線パターンとしては、どのようなものでもよく、例えば、電磁波シールドの格子状パターンを形成するようにしてもよい。すなわち、請求項１に記載の高精細グリッド線作成プログラムを、電磁波シールドの格子状パターンを、マトリックス状に配されるピクセルに対応して定義された記憶領域に傾けて記憶させる印刷用データ作成処理と、その印刷用データ作成処理で記憶領域に記憶させた格子状パターンに基づいて印刷版製造装置を制御する製造装置制御処理と、を備えるように構成してもよい。
【手続補正１４】
【補正対象書類名】明細書
【補正対象項目名】００１４
【補正方法】変更
【補正の内容】
【００１４】
また、高精細グリッド線パターンとして電磁波シールドの格子状パターンを形成するようにしたときには、請求項２記載の発明である高精細グリッド線作成プログラムを、前記印刷用データ作成処理は、前記印刷版製造装置で製造される印刷版が円筒状であるときには、当該印刷版の円周長に対応するピクセル数の約数を算出して、その約数のうちから、所定の角度θでＰｃ１・sinθ及びＰｃ２・cosθが等しくなる約数Ｐｃ１、Ｐｃ２の組合せを算出し、その約数Ｐｃ１及びＰｃ２と角度θとに基づいて電磁波シールドの格子状パターンを作成し、その格子状パターンをマトリックス状に配されるピクセルに対応して定義された記憶領域に傾けて記憶させるように構成してもよい。
【手続補正１５】
【補正対象書類名】明細書
【補正対象項目名】００１５
【補正方法】変更
【補正の内容】
【００１５】
【発明の実施の形態】
以下、本発明に係る高精細グリッド線作成プログラムを、フレキソ印刷版描画装置のコンピュータに実行させる実施の形態について図面を参照しながら説明する。
図１は、本実施形態のフレキソ印刷版描画装置を示す概略構成図である。１１０は感光体支持部を示し、その感光体支持部１１０は、支持フレーム１１１と、その支持フレーム１１１で回転可能に支持される円筒部１１２と、その円筒部１１２を長手軸線方向周りに回転させる感光体回転用モータ部１１３とを有している。また、感光体回転用モータ部１１３は、電子制御部１６０から入力される指令に応じて作動するようになっている。さらに、感光体回転用モータ部１１３には、その回転軸にエンコーダ１１４が接続され、当該感光体回転用モータ部１１３の回転数を電子制御部１６０に出力するようになっている。
【手続補正１６】
【補正対象書類名】明細書
【補正対象項目名】００１６
【補正方法】変更
【補正の内容】
【００１６】
また、感光体支持部１１０の上方には、レーザ発生部１２０が設けられている。このレーザ発生部１２０は、１次光線を発生するレーザ励起源１２１と、そのレーザ励起源１２１で発生される１次光線に応じて赤外レーザを発生するレーザ１２２と、そのレーザ１２２で発生される赤外レーザを変調する音響光学変調部１２３とを備えている。また、音響光学変調部１２３は、電子制御部１６０からの指令に応じて作動するようになっている。
【手続補正１７】
【補正対象書類名】明細書
【補正対象項目名】００１７
【補正方法】変更
【補正の内容】
【００１７】
さらに、感光体支持部１１０とレーザ発生部１２０との間には、光学部１３０が設けられている。この光学部１３０は、レーザ発生部１２０で発生された赤外レーザを集束するレンズ１３１と、そのレンズ１３１を支持するレンズ支持部１３２と、そのレンズ支持部１３２内の相ソケット部に係合して、上下軸周りに回転するウォームギア状の線形軌道１３３と、その線形軌道１３３の上端に接続されて当該線形軌道１３３を回転駆動する合焦用モータ部１３４とを備えている。また、合焦用モータ部１３４は、電子制御部１６０からの指令に応じて作動するようになっている。
【手続補正１８】
【補正対象書類名】明細書
【補正対象項目名】００１８
【補正方法】変更
【補正の内容】
【００１８】
また、光学部１３０の上部には変調光線送給支持台部１４０が設けられている。この変調光線送給支持台部１４０は、光学部１３０を支持する支持台１４１と、その支持台１４１の相ソケット部に係合して、円筒部１１２の長手方向軸線に平行な軸周りに回転するウォームギア状の線形軌道１４２と、その線形軌道１４２の左端に接続されて当該線形軌道１４２を回転駆動する並進用モータ部１４３とを備えている。また、並進用モータ部１４３は、電子制御部１６０からの指令に応じて作動するようになっている。
【手続補正１９】
【補正対象書類名】明細書
【補正対象項目名】００１９
【補正方法】変更
【補正の内容】
【００１９】
一方、フレキソ印刷版描画装置は、コンピュータ部１５０も備えている。このコンピュータ部１５０は、図示しないマイクロコンピュータ等の離散化されたディジタルシステムで構成され、後述する電磁波シールドの形成にも適用可能な高精細グリッド線作成プログラムを実行する。そして、コンピュータ部１５０は、利用者によって入力されるデータに基づいて、融除によりフレキソ印刷用感光体１００の赤外感光層に形成される画像データの生成及び、円筒部１１２の速度と支持台１４１の前進速度と赤外感光層上における画像の位置座標とレンズ１３１の焦点位置と音響光学変調部１２３がもたらす振幅変調レベルとによって構成される露光パラメータの選択を行い、それらのデータを電子制御部１６０に出力するようになっている。
【手続補正２０】
【補正対象書類名】明細書
【補正対象項目名】００２０
【補正方法】変更
【補正の内容】
【００２０】
そして、電子制御部１６０は、コンピュータ部１５０から出力される画像データ及び露光パラメータと、エンコーダ１１４から出力される感光体回転用モータ部１１３の回転数とに基づいて、感光体回転用モータ部１１３、レーザ発生部１２０、光学部１３０及び変調光線送給支持台部１４０を制御する指令を出力して、感光体支持部１１０の円筒部１１２に、円筒状のフレキソ印刷用感光体１００を回転可能に支持させると共に、レーザ発生部１２０に赤外レーザを発生させ、その赤外レーザを光学部１３０で前記フレキソ印刷用感光体１００に照射させつつ、その光学部１３０を変調光線送給支持台部１４０で前記フレキソ印刷用感光体１００の長手方向に移動させることで、当該フレキソ印刷用感光体１００の赤外感光層を螺旋的態様で融除して画像を形成するようになっている。
【手続補正２１】
【補正対象書類名】明細書
【補正対象項目名】００２１
【補正方法】変更
【補正の内容】
【００２１】
本実施の形態における高精細グリッド線パターン作成プログラムは、利用者によって所定の操作が成されたときに実行される処理であって、具体的には、その処理の手順の概要を表すフローチャートである、図２に示すように、先ずそのステップＳ１０１では、フレキソ印刷用感光体１００の円周長ＲＰなどを利用者に入力させて作成可能な格子状パターンのパラメータなどを算出する後述の格子線パターン算出処理を実行してから、ステップＳ１０２に移行する。
【手続補正２２】
【補正対象書類名】明細書
【補正対象項目名】００２２
【補正方法】変更
【補正の内容】
【００２２】
前記ステップＳ１０２では、前記ステップＳ１０１で算出されたパラメータなどを利用者に提示して選択させる選択要求処理を実行してから、ステップＳ１０３に移行する。
前記ステップＳ１０３では、前記ステップＳ１０２で利用者によって選択された格子線状パターンのパラメータなどに基づいて、フレキソ印刷用感光体１００の赤外感光層に形成する格子状パターンのビットマップ画像データの生成及び、円筒部１１２の速度と支持台１４１の前進速度と赤外感光層上における画像の位置座標とレンズ１３１の焦点位置と音響光学変調部１２３がもたらす振幅変調レベルとからなる露光パラメータの選択を行うと共に、それらのデータを電子制御部１６０に出力して記憶させる印刷版作成処理を実行してから、この演算処理を終了する。
【手続補正２３】
【補正対象書類名】明細書
【補正対象項目名】００２３
【補正方法】変更
【補正の内容】
【００２３】
次に、上記高精細グリッド線パターン作成プログラムで実行される格子線パターン算出処理を、図３のフローチャートを参照しながら詳細に説明する。
まず、この処理が実行されると、ステップＳ２０１に移行するようになっており、そのステップＳ２０１では、フレキソ印刷用感光体１００の円周長ＲＰ〔ｍｍ〕と、この装置で作成可能な格子状パターンの解像度ＤＰＩ〔ｄｐｉ〕との入力を利用者に要求し、ステップＳ２０２に移行する。
【手続補正２４】
【補正対象書類名】明細書
【補正対象項目名】００２４
【補正方法】変更
【補正の内容】
【００２４】
前記ステップＳ２０２では、利用者が円周長ＲＰと解像度ＤＰＩとを入力したか否かを判定し、入力したときには（Ｙｅｓ）ステップＳ２０３に移行し、そうでないときには（Ｎｏ）この判定を繰り返し実行する。
前記ステップＳ２０３では、前記ステップＳ２０１で入力された円周長ＲＰ〔ｍｍ〕に“１／２５．４”〔ｉｎｃｈ／ｍｍ〕を乗じた後、解像度ＤＰＩ〔ｄｐｉ〕を乗じて、フレキソ印刷用感光体１００の円周長に対応するピクセル数Ｐｃを算出し、ステップＳ２０４に移行する。
【手続補正２５】
【補正対象書類名】明細書
【補正対象項目名】００２５
【補正方法】変更
【補正の内容】
【００２５】
前記ステップＳ２０４では、前記ステップＳ２０３で算出されたピクセル数Ｐｃの約数を算出し、ステップＳ２０５に移行する。
前記ステップＳ２０５では、後述するステップで利用される角度変数θを“０”に初期化し、ステップＳ２０６に移行する。
前記ステップＳ２０６では、現在の角度変数θに“０．０１”〔ｄｅｇ〕加算して新たな角度変数θを設定し、ステップＳ２０７に移行する。
【手続補正２６】
【補正対象書類名】明細書
【補正対象項目名】００２６
【補正方法】変更
【補正の内容】
【００２６】
前記ステップＳ２０７では、前記ステップＳ２０４で算出された約数のうちから任意の組み合わせＰｃ１、Ｐｃ２を選出し、ステップＳ２０８に移行する。
前記ステップＳ２０８では、前記ステップＳ２０６で算出された角度θと、前記ステップＳ２０７で選出された約数の組み合わせＰｃ１、Ｐｃ２とに基づき、下記（１）式に従って、図４（ａ）に示すように、フレキソ印刷用感光体１００の円周方向に対して左方向に角度θ傾いた格子線をＰｃ１間隔で設けたときの格子線の間隔Ｐａ１と、図４（ｂ）に示すように、右方向に（９０°−θ）傾いた格子線をＰｃ２間隔で設けたときの格子線の間隔Ｐａ２とを算出し、ステップＳ２０９に移行する。
【手続補正２７】
【補正対象書類名】明細書
【補正対象項目名】００２９
【補正方法】変更
【補正の内容】
【００２９】
前記ステップＳ２１２では、前記ステップＳ２０６で算出された角度θが所定値（例えば“８９．９”〔ｄｅｇ〕）以上であるか否か判定し、所定値以上であるときには（Ｙｅｓ）この演算処理を終了するようになっており、そうでないときには（Ｎｏ）前記ステップＳ２０６に移行する。
次に、本実施の形態で高精細グリッド線パターンの利用の一例として、ＰＤＰ（プラズマディスプレイ）の前面フィルタとして有用な電磁波シールドをフレキソ印刷で作成するときに、そのフレキソ印刷で利用されるフレキソ印刷版のマスクを作成する手順を具体的状況に基づいて詳細に説明する。
【手続補正２８】
【補正対象書類名】明細書
【補正対象項目名】００３５
【補正方法】変更
【補正の内容】
【００３５】
このように、本実施形態のフレキソ印刷版描画装置にあっては、フレキソ印刷用感光体１００の円周方向に対して左方に角度θ傾いた格子線が約数Ｐｃ１に応じた間隔で描画され、その格子線から右方に９０°傾いた格子線が約数Ｐｃ２に応じた間隔で描画されるように、フレキソ印刷用感光体１００上に形成する格子状パターンのパラメータ群を算出するため、印刷版に描画される格子状パターンを連続したものにすることができる。また、約数Ｐｃ１、Ｐｃ２の組み合わせの算出時に、角度変数θを変えることで格子線の間隔を設定することができ、その結果、格子状パターンの種類を増やすことができる。
【手続補正２９】
【補正対象書類名】明細書
【補正対象項目名】００３６
【補正方法】変更
【補正の内容】
【００３６】
また、格子線状パターン算出処理が終了すると、メインルーチンに戻り、そのステップＳ１０２で、前記格子線状パターン算出処理で算出されたパラメ−タ等を、上記表１のような形態で利用者に提示して選択させる選択要求処理が実行される。
そして、利用者が提示されたパラメータ等の内から、電磁波シールドの要求性能やＰＤＰの画素等に基づいて格子状パターンを選択したとする。すると、ステップＳ１０３で、前記ステップＳ１０２で利用者によって選択された格子線状パターンのパラメータ等に基づいて、図５に示すように、フレキソ印刷用感光体１００の赤外線感光層に形成する格子状パターンのビットマップ画像データの生成及び、円筒部１１２の速度と支持台１４１の前進速度と赤外線感光層上における画像の位置座標とレンズ１３１の焦点位置と音響光学変調部１２３がもたらす振幅変調レベルとからなる露光パラメータの選択が行われると共に、それらのデータを電子制御部１６０に出力して記憶させる印刷版作成描画処理が実行されて、この演算処理が終了される。
【手続補正３０】
【補正対象書類名】明細書
【補正対象項目名】００３７
【補正方法】変更
【補正の内容】
【００３７】
また、コンピュータ部１５０から出力されたデータを記憶した電子制御部１６０は、エンコーダ１１４から出力される感光体回転用モータ部１１３の回転数に基づいて、感光体回転用モータ部１１３、レーザ発生部１２０、光学部１３０及び変調光線送給支持台部１４０を制御する指令を出力して、感光体支持部１１０の円筒部１１２に、円筒状のフレキソ印刷用感光体１００を回転可能に支持させると共に、レーザ発生部１２０に赤外レーザを発生させ、その赤外レーザを光学部１３０で前記フレキソ印刷用感光体１００に照射させつつ、その光学部１３０を変調光線送給支持台部１４０で前記フレキソ印刷用感光体１００の長手方向に移動させることで、当該フレキソ印刷用感光体１００の赤外線感光層を螺旋的態様で融除して格子線状パターンのマスクが形成される。
【手続補正３１】
【補正対象書類名】明細書
【補正対象項目名】００３８
【補正方法】変更
【補正の内容】
【００３８】
そして、当該マスクを通して紫外線でフレキソ印刷用感光体１００を全体的に露光すると共に、必要に応じて現像液を用いて処理し、除去されなかった赤外線感光層と、紫外線によって露光されなかった障壁層の部分とを除去することで、フレキソ印刷用感光体１００上に格子状パターンが形成される。
このように、本実施形態のフレキソ印刷版描画装置にあっては、互いに斜め方向に位置するピクセルでフレキソ印刷用感光体１００上に格子線が形成されるようにした。そのため、印刷版に描画された格子線に線幅の太いものと細いものとが交互には現れることなく、そのフレキソ印刷版を用いて製造された電磁波シールドがＰＤＰの前面に取りつけられても、線幅の太いものと細いものとが交互に現れることによるモアレを抑制でき、その結果、モアレの発生を気にすることなく、格子線を所望の間隔で配置することができる。
【手続補正３２】
【補正対象書類名】明細書
【補正対象項目名】００３９
【補正方法】変更
【補正の内容】
【００３９】
以上、図２のステップＳ１０１が特許請求の範囲に記載の印刷用データ作成処理に対応し、また同様に、ステップＳ１０３が描画装置制御処理に対応する。
なお、上記実施の態様は本発明の高精細グリッド線パターン作成プログラムの一例を示したものであり、装置の構成等を限定するものではない。